(57)【要約】【課題】メモリーカードが脱落するのを防ぐことができる携帯端末装置を提供する。【解決手段】携帯電話機１に衝撃がかかり、蓋３１が嵌合部１１から外れ、メモリーカード２０がコネクタ１２から外れた場合、メモリーカード２０の端部は、蓋３１の内側に設けられたリブ３５に当接する。このリブ３５がストッパーの役割を果たし、これ以上、メモリーカード２０が携帯電話機１外部に移動することを防ぐ。【選択図】  図１
2006005831.tif 000002
【特許請求の範囲】
【請求項１】
情報記憶用メモリーカードを収納する収納部と、この収納部を覆う蓋とを備えた携帯端末装置において、
前記蓋の前記収納部に対向する側に凸部を設けたことを特徴とする携帯端末装置。
【請求項２】
前記凸部は、複数設けられる
ことを特徴とする請求項１記載の携帯端末装置。
【請求項３】
前記蓋は、一端が装置に固定される
ことを特徴とする請求項１または２記載の携帯端末装置。
【発明の詳細な説明】
【技術分野】
【０００１】
本発明は、携帯端末装置に関し、特に着脱可能なメモリーカード等の記憶媒体を搭載可能な携帯端末装置に関するものである。
【背景技術】
【０００２】
近年、携帯電話機、ＰＨＳ(Personal Handy-Phone System)、ＰＤＡ(Personal Digital Assistant)等の携帯端末装置は、小型軽量化および高機能化が促進されており、大きな進歩を遂げている。これに伴って、画像データや音楽データなどさまざまな大容量情報を、装置内部に保存したり、装置外部に出力する必要性が出てきた。このため、例えばメモリーカード等の目的・用途等にあわせて装着・取り外しが容易な記憶媒体が広く使用されている。
【０００３】
図６は、メモリーカードを装着可能な携帯端末装置の一例を示す斜視図である。図６に示す携帯端末装置は、折り畳み型の携帯電話機１は上部筐体２と下部筐体３とがヒンジ機構４により開閉自在に結合されている。
上部筐体２の内側面、すなわち携帯電話機１を折り畳んだ状態で下側筐体３と対向する面には、携帯電話機１の各種動作等に関する情報を表示する表示部５と、受話用スピーカ６が形成されている。下側筐体３の内側面、すなわち携帯電話機１を折り畳んだ状態で上側筐体２と対向する面には、各種ボタンやジョグシャトル等からなる操作部７と、送話用マイク８が形成されている。
このような携帯電話機１において、下側筐体３の一側面には、メモリーカードを収納する収納部１０が設けられている。この収納部１０の下側筐体３における内側面の側には、収納部１０に隣接して凹部９が設けられている。
【０００４】
図７は、下側筐体３の要部平面図である。
収納部１０は、下側筐体３の側部に設けられた嵌合部１１と、この嵌合部１１に連続して下側筐体３内部に配設されたコネクタ１２と、嵌合部１１と嵌合するカバー４０とから構成される。
【０００５】
嵌合部１１は、下側筐体３の側面に開口を有する略直方体形状の凹部からなり、下側筐体３の側面の長手方向に自身の長軸を沿わせた状態で下側筐体３の側面に形成される。嵌合部１１において、その長軸に直交する一方の面には、凹部１１ａが形成されている。
【０００６】
コネクタ１２は、一の面に開口１２ａを有する筐体から構成され、嵌合部１１の開口に対向する面に開口１２ａが設けられた状態で、下側筐体３内部に配設される。このようなコネクタ１２は、メモリーカード２０を内部に挿入することにより、携帯電話機１の図示しない回路基板との電気的な接続およびメモリーカード２０を所定位置に保持する機能を有している。
【０００７】
カバー４０は、長軸に平行な一の面に開口４１ａが形成された略直方体形状の筐体からなる蓋４１と、一端が蓋４１の長軸に直交する一方の面に接続され軸線方向が蓋４１の長軸に沿うように形成された軸４２と、この軸４２の他端が接続され下側筐体３に固定されるための凹部４３ａを有する基部４３と、蓋４１の長軸に直交する他方の面に形成されたフック４４とから構成される。このようなカバー４０において、少なくとも軸４２は弾性力を有する樹脂等から形成される。
【０００８】
図７に示すように、メモリーカード２０をコネクタ１２に保持した場合、カバー４０は、フック４４が嵌合部１１の凹部１１ａと係合し、蓋４１がコネクタ１２の開口を覆う状態で嵌合部１１に嵌合する。
【０００９】
図８は、メモリーカードの取り外し動作を説明する図である。
メモリーカード２０をコネクタ１２から取り出す場合、図６に示すように、下側筐体３の側面の収納部１０の直上、すなわち収納部１０における下側筐体３の内側面の側に設けられている凹部９に指先を挿入し、蓋４１の側面を携帯電話機１の内部側から外部側へ引き出す。すると、フック４４が凹部１１ａから外れ、軸４２を回動中心として蓋４１が嵌合部１１から外れる。これにより、嵌合部１１およびコネクタ１２が携帯電話機１外部に露出されるので、メモリーカード２０を取り出すことが可能となる。
なお、出願人は、本明細書に記載した先行技術文献情報で特定される先行技術文献以外には、本発明に関連する先行技術文献を出願時までに発見するには至らなかった。
【特許文献１】特開２００１−０２４３５１号公報
【特許文献２】特開２００３−００７３９８号公報
【特許文献３】特開２００３−１５８５６３号公報
【特許文献４】特開２００３−２８３１５７号公報
【特許文献５】特開平０９−２１４５８７号公報
【発明の開示】
【発明が解決しようとする課題】
【００１０】
もし、落下等により携帯端末装置に衝撃がかかり、蓋４１が嵌合部１１から外れた半開きの状態になり、かつ、メモリーカード２０がコネクタ１２から外れると、図８に示すように、メモリーカード２０は、端部が蓋４１の内側と当接した状態となる。従来の携帯電話機では、図７，８に示すように、蓋４１の内側が平面となっている。このため、メモリーカード２０が携帯電話機１の外部へ移動する方向に外力が加わると、メモリーカード２０は、蓋４１の内側に沿って摺動し、携帯電話機１から脱落しまうことがあった。
【００１１】
メモリーカードが、携帯電話機から脱落すると、メモリーカードの破損、衝撃によるメモリーカードのデータ消失等が発生する恐れがある。また、メモリーカードが脱落して紛失すると、メモリーカード内部のデータが第３者に漏洩する恐れもある。このため、従来より、メモリーカードが脱落しにくい構造を有する携帯端末装置が望まれていた。
そこで、本発明は、上述したような課題を解決するためになされたものであり、メモリーカードが脱落するのを防ぐことができる携帯端末装置を提供することを目的とする。
【課題を解決するための手段】
【００１２】
上述したような課題を解決するために、本発明にかかる携帯端末装置は、情報記憶用メモリーカードを収納する収納部と、この収納部を覆う蓋とを備えた携帯端末装置において、蓋の収納部に対向する側に凸部を設けたことを特徴とする。この凸部には、板や突起など、蓋に形成されメモリーカードが携帯端末装置外部に外れるのを防ぐための部材であれば各種部材を用いることができる。
【００１３】
上記携帯端末装置において、凸部は、複数設けられるようにしてもよい。
【００１４】
上記携帯端末装置において、蓋は、一端が装置に固定されるようにしてもよい。
【発明の効果】
【００１５】
本発明によれば、落下等により携帯端末装置に衝撃がかかり、携帯端末装置の蓋が収納部から外れた半開きの状態になり、携帯端末装置の収納部からメモリーカードが外れたとしても、蓋に形成された凸部がメモリーカードに当接してメモリーカードがこれ以上携帯端末装置外部に移動するのを防ぐため、メモリーカードが携帯端末装置から脱落することを防ぐことができる。
【発明を実施するための最良の形態】
【００１６】
以下、図面を参照して本発明の実施の形態について詳細に説明する。
図１は、本実施の形態にかかる携帯電話機の収納部の構成を説明する図、図２は、本実施の形態にかかる携帯電話機の収納部の組立動作を説明する図、図３は、本実施の形態にかかる携帯電話機の収納部の構成を説明する斜視図である。
なお、本実施の形態にかかる携帯電話機は、背景技術の欄で図６〜８を参照して説明した携帯電話機１の収納部１０、特にカバーの構造に特徴を有するものである。したがって、本実施の形態において、背景技術の欄で説明した携帯電話機１と同等の構成要素には、同じ名称および符号を付し、適宜説明を省略する。
【００１７】
本実施の形態にかかる携帯電話機１において、収納部１０は、下側筐体３の側部に設けられた嵌合部１１と、この嵌合部１１に連続して下側筐体３内部に配設されたコネクタ１２と、嵌合部１１と嵌合するカバー３０とから構成される。
【００１８】
カバー３０は、長軸に平行な一の面に開口３１ａが形成された略直方体形状の筐体からなる蓋３１と、一端が蓋３１の長軸に直交する一方の面に接続され軸線方向が蓋３１の長軸に沿うように形成された軸３２と、この軸３２の他端が接続され下側筐体３に固定されるための凹部３３ａを有する基部３３と、蓋３１の長軸に直交する他方の面に形成されたフック３４と、蓋３１の内側に形成されたリブ３５とから構成される。このようなカバー３０において、少なくとも軸３２は樹脂等の弾性力を有する部材から構成される。
【００１９】
リブ３５は、図１〜３に示すように、板の形状を有し、蓋３１の底面（蓋３１の長軸に直交する面）と平行な状態で蓋３１内部に、蓋３１の底面から所定の距離だけ離間して配設される。
【００２０】
このようなカバー３０は、図２に示すように、下側筐体３の側面に接続面を有する上ケース３ａと下ケース３ｂとがねじや爪等の係合手段により接続されて下側筐体３が構成される場合、一方のケース、例えば下ケース３ｂの側面に設けられた切り欠き３ｃに、基部３３の凹部３３ａを矢印Ａの方向に圧入することにより、下側筐体３に固定される。図３に示すように、フック３４を嵌合部１１の凹部１１ａと係合させ、蓋３１を嵌合部１１に嵌合させた状態にすると、蓋３１の内面に形成されたリブ３５は、コネクタ１２に保持されたメモリーカード２０の一端面に、開口３１ａと対向する側面を対向させた状態に配設される。
通常、カバー３０が下側筐体３に固定された状態では、カバー３０が嵌合部１１に嵌合されていない場合は、少なくとも軸３２の弾性力により、カバー３０が嵌合部１１の方向へ移動しようとする力が働く。
【００２１】
図４は、本実施の形態にかかる携帯電話機におけるメモリーカードの取り外し動作を説明する図である。
メモリーカード２０をコネクタ１２から取り出す場合、図６に示すように、凹部９に指先を挿入し、蓋３１の側面を携帯電話機１の内部から外部のへと引き出す。すると、図４に示すように、フック３４が凹部１１ａから外れ、軸３２を回動中心として蓋３１が嵌合部１１から外れる。これにより、嵌合部１１およびコネクタ１２が携帯電話機１外部に露出されるので、メモリーカード２０を取り出すことが可能となる。
【００２２】
ここで、もし、落下等により携帯電話機１に衝撃がかかり、蓋３１が嵌合部１１から外れた半開きの状態になり、かつ、メモリーカード２０がコネクタ１２から外れた場合、本実施の形態にかかる携帯電話機１は、図４に示すように、メモリーカード２０の端部が蓋３１の内側に設けられたリブ３５に当接する。このリブ３５がストッパーの役割を果たし、これ以上、メモリーカード２０が携帯電話機１外部に移動することを防ぐ。また、リブ３５は、軸３２が嵌合部１１の方向へ戻ろうとする弾性力と協働して、メモリーカード２０をコネクタ１２側に押圧する。これにより、メモリーカード２０は、コネクタ１２から外れた場合でも、携帯電話機１から脱落することを防ぐことができる。
【００２３】
図５は、他の実施の形態にかかる携帯電話機の収納部の構成を説明する図である。
リブ３５の数量は、１つに限定されず、複数設けるようにしてもよい。図５の場合、リブ３５ａ，３５ｂという２つのリブが形成されている。これにより、一方のリブがメモリーカード２０の端部と当接しなかった場合でも、他方のリブによりメモリーカード２０と当接することができるので、より確実にメモリーカード２０が携帯電話機１から脱落することを防ぐことができる。また、２つのリブ３５ａ，３５ｂの間隔を調整することにより、リブ３５ａ，３５ｂが協働してメモリーカード２０の端部を狭持するような状態になるので、より確実にメモリーカード２０を携帯電話機１から脱落するのを防ぐことができる。
【００２４】
なお、リブ３５の形状は、板の形状に限定されず、メモリーカード２０が携帯端末装置１外部に脱落するのを防ぐことができる蓋３１の内側に設けられた凸状などの形状であれば、各種形状を適宜自由に設定することができる。また、メモリーカード２０の端部とより密着するために、リブ３５の形状を例えば平面視Ｌ字状の形状などにしてもよい。
また、リブ３５は、開口３１ａと対向する側面以外の側面が蓋３１の内面と接した状態で配設されているが、リブ３５がメモリーカード２０の端部と当接したときに変形しなければ、開口３１ａと対向する側面以外の側面のうち、少なくとも１つの側面が蓋３１ａの内面に接すればよい。
【００２５】
リブ３５を配設する位置は、メモリーカード２０の大きさに鑑みて適宜自由に設定することができる。メモリーカード２０において、コネクタ１２へのメモリーカード２０の挿入方向の長さと、この挿入方向に直交する幅方向の長さの関係は、幅方向の長さの比率が挿入方向の長さの比率よりも大きくなるに連れて、コネクタ１２から脱落しやすくなる。したがって、幅方向の長さの比率が高いほど、軸３２に近い側にリブ３５を設ける。これにより、蓋３１が嵌合部１１から外れてメモリーカード２０がコネクタ１２から外れた場合でも、メモリーカード２０の端部がリブ３５に当接するので、メモリーカード２０が携帯電話機１から脱落することを防ぐことができる。
【００２６】
なお、本実施の形態では、携帯端末装置として携帯電話機を例に説明したが、メモリーカードを使用する機器であれば、ＰＨＳ(Personal Handy-Phone System)、ＰＤＡ(Personal Digital Assistant)、ノート型ＰＣ(Note Book Personal Computer)等各種機器に適用することができる。
【図面の簡単な説明】
【００２７】
【図１】本実施の形態にかかる携帯電話機の収納部の構成を説明する図である。
【図２】本実施の形態にかかる携帯電話機の収納部の組立動作を説明する図である。
【図３】本実施の形態にかかる携帯電話機の収納部の構成を説明する斜視図である。
【図４】本実施の形態にかかる携帯電話機のメモリーカードの取り外し動作を説明する図である。
【図５】他の実施の形態にかかる携帯電話機の収納部の構成を説明する図である。
【図６】メモリーカードを装着可能な携帯端末装置の斜視図である。
【図７】従来の携帯電話機の下側筐体の要部平面図である。
【図８】従来の携帯電話機のメモリーカードの取り外し動作を説明する図である。
【符号の説明】
【００２８】
１…携帯電話機、２…上側筐体、３…下側筐体、３ａ…上ケース、３ｂ…下ケース、３ｃ…切り欠き、４…ヒンジ機構、５…表示部、６…受話用スピーカ、７…操作部、８…送話用マイク、９…凹部、１０…収納部、１１嵌合部、１１ａ…凹部、１２…コネクタ、１２ａ…開口、２０…メモリーカード、３０…カバー、３１…蓋、３２…軸、３３…基部、３３ａ…凹部、３４…フック、３５…リブ。
【図１】
2006005831.tif 000003
【図２】
2006005831.tif 000004
【図３】
2006005831.tif 000005
【図４】
2006005831.tif 000006
【図５】
2006005831.tif 000007
【図６】
2006005831.tif 000008
【図７】
2006005831.tif 000009
【図８】
2006005831.tif 000010